(57)【要約】【課題】遊技時の遊技者の肘の支持に最適な高さに容易に調整できる肘掛けが得られ、強度を有し、且つホール掃除時或いは未使用時に邪魔とならないように突出部及び肘掛け部を折り畳むことのできる肘掛けを提供するものである。【解決手段】遊技機の前方に設けた遊技機用肘掛けにおいて、床から支柱を立ち上げ、該支柱の上端部から前方上方向へ傾斜した斜材を設け、該斜材に連結して水平部材を設け、該水平部材に対し上下方向へ所定高で段階的に可動係止する肘掛け部を設けたことを特徴とする遊技機用肘掛け。【選択図】図１
0003167698.tif 000002
【実用新案登録請求の範囲】
【請求項１】
遊技機の前方に設けた遊技機用肘掛けにおいて、床から支柱を立ち上げ、該支柱の上端部から前方上方向へ傾斜した斜材を設け、該斜材に連結して水平部材を設け、該水平部材に対し上下方向へ所定高で段階的に可動係止する肘掛け部を設けたことを特徴とする遊技機用肘掛け。
【請求項２】
斜材は、支柱又は固定斜材と可動斜材とを係合形成し、両者の係合部で支柱側へ折り曲げ自在としてなることを特徴とする請求項１記載の遊技機用肘掛け。
【請求項３】
肘掛け部は、水平部材から下方側へ突出したカバー部材、該水平部材及び該カバー部材の内側を上下方向に移動する可動体、該可動体上の肘当て部並びに該可動体を特定の位置で係止させる操作杆とより形成し、該可動体に設けた変形長孔と該操作杆との係止位置を変えることにより該肘当て部の高さを調整することを特徴とする請求項１又は２記載の遊技機用肘掛け。
【請求項４】
カバー部材は、水平部材の両側壁より下方へ突出した両延出側壁と該延出側壁間を連結する底部とより形成し、該カバー部材内を上下方向に移動する可動体は、左右側壁、該左右側壁間を連結する底部及び肘当て部取着部材とより形成し、該カバー部材の底部と肘当て部取着部材との間に両者を離す方向に付勢した発条体を設けてなることを特徴とする請求項３記載の遊技機用肘掛け。
【請求項５】
可動体の左右側壁には操作杆を挿入し且つ係止するための上下方向の変形長孔を形成し、該変形長孔に形成された複数の係止部のいずれかを選択して該操作杆の係合部が嵌合係止することにより肘当て部の高を調整できることを特徴とする請求項３又は４記載の遊技機用肘掛け。
【請求項６】
変形長孔は、操作杆の係合凸部が嵌合係止する拡大孔部と該操作杆の凹部が通過する狭隘孔部とが左右側壁の上下方向に沿って交互に形成してなることを特徴とする請求項３乃至５のいずれか記載の遊技機用肘掛け。
【請求項７】
操作杆は、可動体及びカバー部材の両側壁間を貫通する棒状部材よりなり、両端部を操作膨出部として両側壁より露出させ、その操作膨出部間には可動体の変形長孔の拡大孔部と嵌合係止する内外側係合凸部、狭隘孔部を通過する凹部及び可動体の側壁内側に当接するワッシャを設け、該内側係合凸部とワッシャ間には両者を離す方向に付勢した発条体を設けてなることを特徴とする請求項３乃至６のいずれか記載の遊技機用肘掛け。
【請求項８】
操作杆は、内外側係合凸部間に凹部を形成し、該内外側係合凸部と変形長孔の拡大孔部との嵌合係止により可動体を係止させ、該内外側係合凸部の切欠部が左右に位置するように回転されたときには嵌合係止を外し、該凹部が長孔の狭隘孔部に移動したときには上下方向に可動自在となるように形成したことを特徴とする請求項７記載の遊技機用肘掛け。
【考案の詳細な説明】
【技術分野】
【０００１】
本考案は、パチンコ機、パチスロ機或いはその他各種ゲーム機等の遊技機を操作する遊技者のための遊技機用肘掛けに関する。
【背景技術】
【０００２】
従来より、パチンコ機、パチスロ機或いはその他各種ゲーム機等の遊技機の操作は椅子に座した状態で遊技に興じている。その際の操作は、特定の箇所を手で把持或いは指の動き等により肘を上げた状態で行われているのが一般的である。
【０００３】
当該遊技に興じている時間は長時間にわたることが多く、腕を含め身体全体の疲労を伴うものであった。このため椅子を肘掛け椅子とし、その肘掛けを利用することが考えられているが、該椅子の肘掛け部は座している側部に設けられているため腕を遊技機側へ上げて操作を行うためには該椅子を遊技機側へ移動させるか、肘掛け部のみを遊技機側へ移動させるタイプの特殊な椅子としなければならなかった。
【０００４】
通常、遊技機で使用される椅子は固定式となっており、該椅子を移動させることが不可能なケースが多いこと或いは仮に移動が可能な場合であっても該椅子を遊技機側へ位置させると体が遊技機に接近しすぎてしまい視覚との関係で遊技がしずらくなる欠点があった。また、椅子は隣接遊技者が使用している椅子と肘掛け部等が接するのを防止すること及び多数の椅子を使用することになるのでコンパクトで安価なものが要求されており、肘掛け部があるものやその肘掛け部が遊技機側へ突出する機能のあるものとなると高価なものとなり敬遠されていた。
【０００５】
他方、遊技機側から前方へ突出する肘掛けがあるが、該遊技機の枠等から突出することになるので遊技に邪魔になったり、肘からの荷重に耐える十分な支持部材を得ることができず強度的に弱いものであった。また、床から立ち上げた肘掛けも見受けられるが、支柱と肘掛け部とが固定されているので固定椅子の側前方へ突出したままの状態であり、ホールの掃除時或いは未使用時には邪魔となるものであった。
【先行技術文献】
【特許文献】
【０００６】
【特許文献１】実用新案登録第３０３３５０５号公報
【特許文献２】特開２００７−１４４１２０号公報
【特許文献３】特開２００７−２９４９６号公報
【考案の概要】
【考案が解決しようとする課題】
【０００７】
本考案は、上記欠点を解決したもので、遊技時の遊技者の肘の支持に最適な高さに容易に調整できる肘掛けが得られ、強度を有し、且つホール掃除時或いは未使用時に邪魔とならないように突出部及び肘掛け部を折り畳むことのできる肘掛けを提供するものである。
【課題を解決するための手段】
【０００８】
本考案は、遊技機の前方に設けた遊技機用肘掛けにおいて、床から支柱を立ち上げ、該支柱の上端部から前方上方向へ傾斜した斜材を設け、該斜材に連結して水平部材を設け、該水平部材に対し上下方向へ所定高で段階的に可動係止する肘掛け部を設けた遊技機用肘掛けを特徴とする。
【０００９】
また、上記斜材は、支柱又は固定斜材と可動斜材とを係合形成し、両者の係合部で支柱側へ折り曲げ自在としてなる遊技機用肘掛けを特徴とする。
【００１０】
更に、上記肘掛け部は、水平部材から下方側へ突出したカバー部材、該水平部材及び該カバー部材の内側を上下方向に移動する可動体、該可動体上の肘当て部並びに該可動体を特定の位置で係止させる操作杆とより形成し、該可動体に設けた変形長孔と該操作杆との係止位置を変えることにより該肘当て部の高さを調整する遊技機用肘掛けを特徴とする。
【００１１】
また、上記カバー部材は、水平部材の両側壁より下方へ突出した両延出側壁と該延出側壁間を連結する底部とより形成し、該カバー部材内を上下方向に移動する可動体は、左右側壁、該左右側壁間を連結する底部及び肘当て部取着部材とより形成し、該カバー部材の底部と肘当て部取着部材との間に両者を離す方向に付勢した発条体を設けてなる遊技機用肘掛けを特徴とする。
【００１２】
更に、上記可動体の左右側壁には操作杆を挿入し且つ係止するための上下方向の変形長孔を形成し、該変形長孔に形成された複数の係止部のいずれかを選択して該操作杆の係合部が嵌合係止することにより肘当て部の高を調整できる遊技機用肘掛けを特徴とする。
【００１３】
また、上記変形長孔は、操作杆の係合凸部が嵌合係止する拡大孔部と該操作杆の凹部が通過する狭隘孔部とが左右側壁の上下方向に沿って交互に形成してなる遊技機用肘掛けを特徴とする。
【００１４】
更に、上記操作杆は、可動体及びカバー部材の両側壁間を貫通する棒状部材よりなり、両端部を操作膨出部として両側壁より露出させ、その操作膨出部間には可動体の変形長孔の拡大孔部と嵌合係止する内外側係合凸部、狭隘孔部を通過する凹部及び可動体の側壁内側に当接するワッシャを設け、該内側係合凸部とワッシャ間には両者を離す方向に付勢した発条体を設けてなる遊技機用肘掛けを特徴とする。
【００１５】
また、上記操作杆は、内外側係合凸部間に凹部を形成し、該内外側係合凸部と変形長孔の拡大孔部との嵌合係止により可動体を係止させ、該内外側係合凸部の切欠部が左右に位置するように回転されたときには嵌合係止を外し、該凹部が長孔の狭隘孔部に移動したときには上下方向に可動自在となるように形成した遊技機用肘掛けを特徴とする。
【考案の効果】
【００１６】
本考案の遊技機用肘掛けは、遊技機の側前方となる床から立ち上げた支柱に支持された肘当て部により遊技者の肘を強固に支持することができ腕及び身体の疲労を和らげることを可能とした。
【００１７】
また、遊技機用肘掛けの前方へ突出している斜材、水平部材及び肘掛け部を折り畳むことが簡単にできるので、掃除時や未使用時にそれらが邪魔になることを防止することを可能とした。
【００１８】
更に、肘掛け部の高さを、操作杆の操作膨出部を押圧し、わずかに回転させるだけの簡単な操作で肘当て部の高さ調整を行うことができ、個人差による肘の高さ位置の相違に対応可能とし、且つその選択した高さを上方から大きな荷重が作用しても強固に保持することを可能とした。
【図面の簡単な説明】
【００１９】
【図１】（ａ）本考案の遊技機用肘掛けの全体を示す側面図、（ｂ）同正面図。
【図２】本考案の遊技機用肘掛けの肘掛け部の側面図。
【図３】本考案の遊技機用肘掛けの肘掛け部の平面図。
【図４】本考案の遊技機用肘掛けの肘掛け部の正面図。
【図５】（ａ）本考案の遊技機用肘掛けの肘掛け部の高さ調整に使用する操作杆の側面図、（ｂ）同操作杆の係合凸部の正面図。
【図６】（ａ）本考案の遊技機用肘掛けの肘掛け部の低い位置に高さ調整した側面図、（ｂ）同正面図、（ｃ）本考案の遊技機用肘掛けの肘掛け部の中程度の位置に高さ移動する状態の側面図、（ｄ）同正面図、（ｅ）本考案の遊技機用肘掛けの肘掛け部の高い位置に高さ調整した側面図、（ｆ）同正面図。
【考案を実施するための形態】
【００２０】
以下、図面に基づいて、本考案の実施例を説明する。
【実施例１】
【００２１】
図１（ａ）、（ｂ）は、本考案の遊技機用肘掛けの側面図及び正面図を示している。肘掛け１は、遊技機が設置された側前方の遊技者の腕が位置する隣接遊技者との間の床から立ち上げた支柱２、該支柱２の上端部に設けた前方上方向へ傾斜した斜材３、該斜材３に連続して水平方向へ突出した水平部材４、該水平部材４に対し上下方向へ可動する肘掛け部５とより構成している。
【００２２】
上記支柱２は、溝形鋼、リップ溝形鋼、ロ形鋼等の少なくとも１．６ｍｍ厚のある身体からの荷重による曲げや圧縮力に耐えることのできる強度のある形鋼材で形成し、床に固定している。
【００２３】
上記斜材３は、該支柱２の上端部から該支柱２の垂直方向に対し１１０°乃至１４０°の範囲で遊技機の前方側となる斜め上方向に突出させたもので、該支柱２と同一材料で形成している。該支柱２と連続形成しているが、該支柱２との連結部或いは該斜材３を固定斜材３ａと可動斜材６とに分割し、その両者の連結部で折り曲げ自在に形成する。図１に示すものは、後者の実施例を示し、該固定斜材３ａと可動斜材６とで斜材３としている。
【００２４】
該支柱２と固定斜材３ａとの連結は、支柱２の上端部を斜めに切断し、固定斜材３ａの下端部側の斜め切断部と当接し、溶接固定により強固に一体とすることができる。他方、支柱２をリップ溝形鋼或いはロ形鋼で形成し、固定斜材３ａの下端部から垂直方向へ延設した嵌着斜材を設け、該嵌着斜材を該支柱２の上端部から嵌着することにより支柱２と固定斜材３ａとを一体化することも可能である。
【００２５】
本実施例の固定斜材３ａは、その延出部を短く形成し、該固定斜材３ａに嵌合して移動自在に可動斜材６を設けている。該可動斜材６の部材長先端側に連続して水平部材４及び肘掛け部５が形成されている。該可動斜材６と水平部材４とにより全体がくの字形に折曲形成されている。
【００２６】
該固定斜材３ａには、その左右側壁面に部材長に沿って長孔７が形成され、可動斜材６の先端部に設けた軸８が該左右側壁の各々の長孔７間に架け渡し挿入され、該可動斜材６の固定斜材３ａの延出方向に沿って可動斜材６を移動させることにより該軸８が長孔７内を移動し、該水平部材４も斜め上方へ可動することになる。
【００２７】
該軸８は、可動斜材６、水平部材４及び肘掛け部５等の自重により常時は該長孔７の下端部に当接した位置に保持されていることになるが、該可動斜材６及び水平部材４等の折り曲げ時は、それらを斜め上方へ引き上げることにより該軸８は長孔７内を上方へ移動し、該長孔７の上端部に当接することになる。該軸８が上端部に達すると、該可動斜材６に形成した上面の切欠部が該固定斜材３ａから外れる位置に到達し、その状態になると該可動斜材６は支柱２側へ傾倒することが可能となる。且つ傾倒した状態では、該軸８は長孔７内を下端側へ移動することになり、該可動斜材６及び水平部材４等を支柱２側へ寄せることが可能となる。
上記操作により可動斜材６、水平部材４及び肘掛け部５を水平位置状態と折り畳み位置状態とに切り換えることが可能となり、且つ柱２側へ寄せ付け移動することも可能となる。
【００２８】
図２乃至４は、水平部材４、肘掛け部５及び可動斜材６の側面図、平面図及び前方側からの正面図を示している。該水平部材４は、略コ字形形状とされ、その平坦部９には長手方向に沿って開口部１０が形成され、左右側壁１１、１１´の下端部には、下方側へ突出した左右の延出側壁１２、１２´、該左右の延出側壁１２、１２´間に架け渡された底部１３及び前面及び背面側の小壁１４、１４´よりなるカバー部材１５が形成されている。
【００２９】
該水平部材４及びカバー部材１５の内側には、断面を略ハット形形状とし該鍔部を上方とした左右側壁１６、１６´、底部１７及び鍔部となる肘当て部取着部材１８よりなる可動体１９が上下動可能に形成されている。
【００３０】
該水平部材４の左右側壁１１、１１´及び該可動体１９の左右側壁１６、１６´には操作杆２０を貫通配置するための水平部材側壁孔２１、２１´及び可動体側壁孔２２、２２´が各々形成されている。該可動体１９の可動体側壁孔２２、２２´は、肘掛け部５の高さを変えることのできるように長尺で拡大孔部２３ａ、２３ａ´と狭隘孔部２３ｂ、２３ｂ´とが階段状に繰り返された変形長孔としている（以下、可動体側壁孔２２、２２´を変形長孔２３、２３´として説明する）。また、底部１７の前方側及び背方側には発条体２４、２５を貫通させるための発条体貫通孔を形成している。
【００３１】
該操作杆２０は、図５（ａ）、（ｂ）に示すように、ピン形状の長尺棒で、一端部の操作膨出部２６から外側係合凸部２７、凹部２８、内側係合凸部２９、及び該凹部２８の径と同一の細径の棒状部３０へと延出し、該細径棒状部３０にはワッシャ３１が嵌挿される。また、該細径棒状部３０の中心部はナット３２の役割をするネジが刻設され、一端部側を開口している。
【００３２】
該操作杆２０の外側係合凸部２７、内側係合凸部２９及び後述するボルト側係合凸部３８は、図５（ｂ）に示すように、同一径とされ該内外係合凸部２７、２９及びボルト側係合凸部３８の中心部に対して対向する位置に各々切欠部３３を形成し、該操作杆２０が回転されることにより該操作杆２０の切欠部３３が左右方向の位置（図５（ｂ）の状態）へ移動可能となるように形成している。
【００３３】
該内側係合凸部２９のワッシャ３１側一端とワッシャ３１との間には、該細径棒状部３０の周囲に沿って発条体３４が嵌挿され、該ワッシャ３１を外方側へ作用するように付勢している。これにより該ワッシャ３１の発条体３４との当接面と反対側となる面は、可動体１９の一方の側壁１６´の内側壁に当接することになる。
【００３４】
該細径棒状部３０の中心部に刻設したナット３２には操作杆２０の他端部側からボルト３５を螺合することになる。該ボルト３５は、ナット３２を囲むキャップ状の嵌合部材３６を嵌合した後、該嵌合部材３６の中心部の貫通孔３７の一端より挿入して螺合することにより該ナット３２と固定することができる。該嵌合部材３６には、該外側係合凸部２７及び内側係合凸部２９と同一外径となるボルト側係合凸部３８とその端部の操作膨出部３９とが形成されている。
【００３５】
上記構成よりなる操作杆２０は、水平部材４の一方の側壁１１の水平部材側壁孔２１から可動体１９の一方の側壁１６の変形長孔２３、該可動体１９の他方の側壁１６´の変形長孔２３´から該水平部材４の他方の側壁１１´の水平部材側壁孔２１´へとボルト３５が螺合されていない状態で嵌挿し、該水平部材４の他方の側壁１１´から該細径棒状部３０を外方へ突出させ、該細径棒状部３０のナット３２へ嵌合部材３６を嵌着し、その貫通孔３７の外側一端よりボルト３５を挿入して螺合することにより該水平部材４及び可動体１９の左右の側壁間に該操作杆２０を架け渡すことができる。
【００３６】
上記細径棒状部３０の外周に嵌挿された外方へ付勢された伸縮自在の発条体３４は、該操作杆２０の内側係合凸部２９とワッシャ３１間に装着されることにより、該内側係合凸部２９とワッシャ３１とを各々外方へ付勢するように作用することになる。これにより該内側係合凸部２９に連続した操作膨出部２６を該水平部材４の側壁１１から外方へ突出する方向に作用し、ワッシャ３１を可動体１９の一方の側壁１６´の内側壁に強く当接するように作用する。
【００３７】
更に、該可動体１９の該肘当て部取着部材１８から底部１７方向へ案内杆４０を立設形成し、該カバー部材１５の底部１３と可動体１９の上端部の肘当て取着部材１８との間の発条体２４、２５の伸縮自在のための案内芯棒としている。該案内杆４０は、可動体１９の底部１７から立設してもよい。
【００３８】
該発条体２４、２５は、上記のように、その一端が該カバー部材１５の底部１３から可動体１９の上端部の肘当て部取着部材１８までの間に架け渡され、該カバー部材１５と可動体１９とを離れる方向に付勢している。
【００３９】
上記構成よりなる遊技用肘掛け１の肘掛け部５の高さ調節について図６（ａ）乃至（ｆ）に沿って説明する。
図６（ａ）、（ｂ）は、肘掛け部５の取着部材１８上に固定された肘当てが低い位置となるもので、水平部材４に形成した開口部１０よりカバー部材１５の内側へ可動体１９が深く入り込んでいる状態を示している。この位置は、操作杆２０の操作膨出部２６を内外側係合凸部２７、２９及びボルト側係合凸部３８が図５（ｂ）の切欠部３３が左右方向に位置している状態で水平部材側壁孔２１に沿って外方へ引き出し、それを回転することにより変形長孔２３の上段部の拡大孔部２３ａに該操作杆２０の内側係合凸部２９が入り込んで嵌合係止し、且つボルト側係合凸部３８も反対側の拡大孔部２３ａ´に入り込んで嵌合係止し、該可動体１９は発条体２４、２５の上下方向への付勢力に抗して、その位置で嵌合固定されることになる。
【００４０】
次に、図６（ｃ）、（ｄ）に示すように、該操作膨出部２６を少し回転させて該内外側係合凸部２７、２９及びボルト側係合凸部３８の切欠部３３が、上記同様、図５（ｂ）に示す左右方向に位置することになると該拡大孔部２３ａ、２３ａ´と内側係合凸部２９及びボルト側係合凸部３８との係合が外れ、該操作膨出部２６を側壁１１側へ押し込むことが可能となる。該操作膨出部２６を水平部材４の側壁１１に当接するまで押し込むと、該拡大孔部２３ａ、２３ａ´と内側係合凸部２９及びボルト側係合凸部３８との係合が完全に外れ、凹部２８が一方の狭隘孔部２３ｂに入り込み、同様に、ワッシャ３１が嵌挿されている該凹部２８と同一径の細径棒状部３０も他方の狭隘孔部２３ｂ´に入り込むことになる。
【００４１】
従って、その状態で可動体１９は変形長孔２３内を上下方向に可動できることになる。図６（ｃ）、（ｄ）はその状態を示している。すると発条体２４、２５は上下方向に付勢されているので該可動体１９は上方向へ移動することになるが、該肘当て部取着部材１８には自身の荷重等を含め肘当て部等の荷重が作用しているため緩やかに上昇することになる。その上昇過程で操作杆２０が変形長孔２３の中央部の拡大孔部２３ａ、２３ａ´の位置まで上昇した時点で該操作膨出部２６を引き出し、少し回転することにより該操作杆２０の内側係合凸部２９及びボルト側係合凸部３８の各々が左右の拡大孔部２３ａ、２３ａ´に入り込み係合することになり、この位置で固定されることになる。
【００４２】
更に、突出している該操作膨出部２６を回転し、内外側係合凸部２７、２９及びボルト側係合凸部３８の各々の切欠部３３が図５（ｂ）に示す左右方向に位置することになると、該操作膨出部２６を押し込むこと、或いはボルト側の操作膨出部３９を引き出すことが可能となる。その移動により、上記と同様、可動体１９は自由に可動できるようになり、発条体２４、２５の上下方向への付勢により該可動体１９には上方へ移動する力が作用し、上方へ持ち上げられる。図６（ｅ）、（ｆ）に示すように、下方の拡大孔部２３ａ、２３ａ´に位置する状態で操作膨出部２６を引き出すか、ボルト側操作膨出部３９を押し込むことにより一方の拡大孔部２３ａに内側係合凸部２９が移動し、他方の拡大孔部２３ａ´に該ボルト側係合凸部３８が移動し、その位置で該操作膨出部２６を少し回転することにより各々が該拡大孔部２３ａ、２３ａ´と嵌合係止し固定することになる。
【００４３】
上記操作杆２０の左右方向への移動の際、操作膨出部２６に連続する外側係合凸部２７及び嵌合部材３６のボルト側係合凸部３８は、水平部材４に形成された水平部材側壁孔２１、２１´に各々密接状態で嵌合挿入され、操作杆２０の左右方向への移動を安定化させる。
【００４４】
また、上記した内外側係合凸部２７、２９及びボルト側係合凸部３８の端部を同一の傾斜角度を持った面取りをすることにより、変形長孔２３、２３´との係合及びその離脱が円滑に行えることになる。
【００４５】
上記実施例は、本考案の遊技機用肘掛けの一実施例を示したもので、例えば、支柱の立設位置や肘掛け部が遊技者の左右のどちらかの肘或いは両肘にも対応できること、又は肘掛け部の上下方向の可動係止手段の構成等、本考案は、上記具体的構成のみに限定されるものではない。
【符号の説明】
【００４６】
１                          肘掛け
２                          支柱
３                          斜材
３ａ                        固定斜材
４                          水平部材
５                          肘掛け部
６                          可動斜材
７                          長孔
８                          軸
９                          平坦部
１０                        開口部
１１、１１´、１６、１６´  左右側壁
１２、１２´                延出側壁
１３、１７                  底部
１４、１４´                小壁
１５                        カバー部材
１８                        肘当て部取着部材
１９                        可動体
２０                        操作杆
２１、２１´                水平部材側壁孔
２２、２２´                可動体側壁孔
２３                        変形長孔
２３ａ、２３ａ´            拡大孔部
２３ｂ、２３ｂ´            狭隘孔部
２４、２５、３４            発条体
２６、３９                  操作膨出部
２７                        外側係合凸部
２８                        凹部
２９                        内側係合凸部
３０                        細径棒状部
３１                        ワッシャ
３２                        ナット
３３                        切欠部
３５                        ボルト
３６                        嵌合部材
３７                        貫通孔
３８                        ボルト側係合凸部
４０                        案内杆
【図１】
0003167698.tif 000003
【図２】
0003167698.tif 000004
【図３】
0003167698.tif 000005
【図４】
0003167698.tif 000006
【図５】
0003167698.tif 000007
【図６】
0003167698.tif 000008